【手続補正書】
【提出日】平成17年12月16日(2005.12.16)
【手続補正１】
【補正対象書類名】明細書
【補正対象項目名】特許請求の範囲
【補正方法】変更
【補正の内容】
【特許請求の範囲】
【請求項１】  少なくともビデオ情報と該ビデオ情報の再生に同期して再生される副再生情報とを有するストリームデータから、上記ビデオ情報及び上記副再生情報に関する付属情報を作成する付属情報作成手段と、
上記ストリームデータを上記付属情報作成手段にて作成された付属情報と共に記録媒体に記録する記録手段とを備え、
上記付属情報作成手段は、上記ビデオ情報のアクセスポイントにおける再生開始時刻を示すプレゼンテーションタイムスタンプと上記ストリームデータ中のアドレスとの対応関係が記述されたビデオ用テーブルと、上記アクセスポイントにおけるビデオ情報と同期して再生される上記副再生情報のアドレスが記述された副再生情報用テーブルとを作成することを特徴とする情報処理装置。
【請求項２】  上記副再生情報用テーブルは、上記副再生情報の再生開始時刻を示すプレゼンテーションタイムスタンプと上記ストリームデータ中のアドレスとの対応関係が記述された副再生情報アドレス検索テーブルを有することを特徴とする請求項１記載の情報処理装置。
【請求項３】  上記副再生情報用テーブルは、上記副再生情報の再生開始時刻を示すプレゼンテーションタイムスタンプと上記副再生情報の持続時間又は再生終了時刻を示すプレゼンテーションタイムスタンプとの対応関係が記述された副再生情報再生テーブルを有することを特徴とする請求項１記載の情報処理装置。
【請求項４】  上記副再生情報アドレス検索テーブルは、各副再生情報が開始及び終了するアドレスを示す情報を有することを特徴とする請求項２記載の情報処理装置。
【請求項５】  上記ビデオ用テーブルは、上記ストリームデータ中の各フレーム内符号化画像のプレゼンテーションタイムスタンプ、並びに各フレーム内符号化画像が開始及び終了するアドレスを示す情報を有することを特徴とする請求項１記載の情報処理装置。
【請求項６】  上記副再生情報は、サブタイトル、静止画、又は上記ビデオ情報に重ねて表示される図形であることを特徴とする請求項１記載の情報処理装置。
【請求項７】  少なくともビデオ情報と該ビデオ情報の再生に同期して再生される副再生情報とを有するストリームデータから、上記ビデオ情報及び上記副再生情報に関する付属情報を作成する付属情報作成工程と、
上記ストリームデータを上記付属情報作成工程にて作成された付属情報と共に記録媒体に記録する記録工程とを備え、
上記付属情報作成工程では、上記ビデオ情報のアクセスポイントにおける再生開始時刻を示すプレゼンテーションタイムスタンプと上記ストリームデータ中のアドレスとの対応関係が記述されたビデオ用テーブルと、上記アクセスポイントにおけるビデオ情報と同期して再生される上記副再生情報のアドレスが記述された副再生情報用テーブルとが作成される
ことを特徴とする情報処理方法。
【請求項８】  上記副再生情報用テーブルは、上記副再生情報の再生開始時刻を示すプレゼンテーションタイムスタンプと、上記ストリームデータ中のアドレスとの対応関係が記述された副再生情報アドレス検索テーブルを有することを特徴とする請求項７記載の情報処理方法。
【請求項９】  上記副再生情報用テーブルは、上記副再生情報の再生開始時刻を示すプレゼンテーションタイムスタンプと、上記副再生情報の持続時間又は再生終了時刻を示すプレゼンテーションタイムスタンプとの対応関係が記述された副再生情報再生テーブルを有することを特徴とする請求項７記載の情報処理方法。
【請求項１０】  所定の動作をコンピュータに実行させるためのプログラムであって、
少なくともビデオ情報と該ビデオ情報の再生に同期して再生される副再生情報とを有するストリームデータから、上記ビデオ情報及び上記副再生情報に関する付属情報を作成する付属情報作成工程と、
上記ストリームデータを上記付属情報作成工程にて作成された付属情報と共に記録媒体に記録する記録工程とを備え、
上記付属情報作成工程では、上記ビデオ情報のアクセスポイントにおける再生開始時刻を示すプレゼンテーションタイムスタンプと上記ストリームデータ中のアドレスとの対応関係が記述されたビデオ用テーブルと、上記アクセスポイントにおけるビデオ情報と同期して再生される上記副再生情報のアドレスが記述された副再生情報用テーブルとが作成される
ことを特徴とするプログラム。
【請求項１１】  少なくともビデオ情報と該ビデオ情報の再生に同期して再生される副再生情報とを有するストリームデータと共に、該ビデオ情報のアクセスポイントにおける再生開始時刻を示すプレゼンテーションタイムスタンプと上記ストリームデータ中のアドレスとの対応関係が記述されたビデオ用テーブルと、該アクセスポイントにおけるビデオ情報と同期して再生される上記副再生情報のアドレス及び該副再生情報の各再生区間が記述された副再生情報用テーブルとが記録された記録媒体から、ランダムアクセスされた位置のプレゼンテーションタイムスタンプのビデオ情報及び副再生情報を再生する再生手段と、
上記ビデオ用テーブル及び副再生情報用テーブルを参照して上記再生手段を制御する制御手段とを有し、
上記制御手段は、上記副再生情報用テーブルの再生区間内に上記ランダムアクセスされた位置のプレゼンテーションタイムスタンプを含む副再生情報を再生するよう上記再生手段を制御することを特徴とする情報処理装置。
【請求項１２】  上記ビデオ用テーブルは、上記ストリームデータ中の各フレーム内符号化画像のプレゼンテーションタイムスタンプ、並びに各フレーム内符号化画像が開始及び終了するアドレスを示す情報を有し、
上記制御手段は、上記検索された副再生情報と共に、上記ランダムアクセスされた位置のプレゼンテーションタイムスタンプに最も近い過去のフレーム内符号化画像を再生するよう上記再生手段を制御することを特徴とする請求項１１記載の情報処理装置。
【請求項１３】  上記副再生情報用テーブルは、各副再生情報が開始及び終了するアドレスを示す情報が記述された副再生情報アドレス検索テーブルを有することを特徴とする請求項１１記載の情報処理装置。
【請求項１４】  上記副再生情報用テーブルは、上記副再生情報の再生開始時刻を示すプレゼンテーションタイムスタンプと上記副再生情報の持続時間又は再生終了時刻を示すプレゼンテーションタイムスタンプとの対応関係が記述された副再生情報再生テーブルを有することを特徴とする請求項１１記載の情報処理装置。
【請求項１５】  少なくともビデオ情報と該ビデオ情報の再生に同期して再生される副再生情報とを有するストリームデータと共に、該ビデオ情報のアクセスポイントにおける再生開始時刻を示すプレゼンテーションタイムスタンプと上記ストリームデータ中のアドレスとの対応関係が記述されたビデオ用テーブルと、該アクセスポイントにおけるビデオ情報と同期して再生される上記副再生情報のアドレス及び該副再生情報の各再生区間が記述された副再生情報用テーブルとが記録された記録媒体から、ランダムアクセスされた位置のプレゼンテーションタイムスタンプのビデオ情報及び副再生情報を再生する再生工程と、
上記ビデオ用テーブル及び副再生情報用テーブルを参照して上記再生を制御する制御工程とを有し、
上記制御工程では、上記副再生情報用テーブルの再生区間内に上記ランダムアクセスされた位置のプレゼンテーションタイムスタンプを含む副再生情報を再生するよう上記再生が制御されることを特徴とする情報処理方法。
【請求項１６】  所定の動作をコンピュータに実行させるためのプログラムであって、
少なくともビデオ情報と該ビデオ情報の再生に同期して再生される副再生情報とを有するストリームデータと共に、該ビデオ情報のアクセスポイントにおける再生開始時刻を示すプレゼンテーションタイムスタンプと上記ストリームデータ中のアドレスとの対応関係が記述されたビデオ用テーブルと、該アクセスポイントにおけるビデオ情報と同期して再生される上記副再生情報のアドレス及び該副再生情報の各再生区間が記述された副再生情報用テーブルとが記録された記録媒体から、ランダムアクセスされた位置のプレゼンテーションタイムスタンプのビデオ情報及び副再生情報を再生する再生工程と、
上記ビデオ用テーブル及び副再生情報用テーブルを参照して上記再生を制御する制御工程とを有し、
上記制御工程では、上記副再生情報用テーブルの再生区間内に上記ランダムアクセスされた位置のプレゼンテーションタイムスタンプを含む副再生情報を再生するよう上記再生が制御されることを特徴とするプログラム。
【請求項１７】  少なくともビデオ情報と該ビデオ情報の再生に同期して再生される副再生情報とを有するストリームデータから、上記ビデオ情報及び上記副再生情報に関する付属情報を作成する付属情報作成手段と、
上記ストリームデータを上記付属情報作成手段にて作成された付属情報と共に記録媒体に記録する記録手段と、
上記記録媒体から、ランダムアクセスされた位置のプレゼンテーションタイムスタンプのビデオ情報及び副再生情報を再生する再生手段と、
上記付属情報を参照して上記再生手段を制御する制御手段とを備え、
上記付属情報作成手段は、上記ビデオ情報のアクセスポイントにおける再生開始時刻を示すプレゼンテーションタイムスタンプと上記ストリームデータ中のアドレスとの対応関係が記述されたビデオ用テーブルと、該アクセスポイントにおけるビデオ情報と同期して再生される上記副再生情報のアドレス及び該副再生情報の各再生区間が記述された副再生情報用テーブルとを作成し、
上記制御手段は、上記ビデオ用テーブル及び副再生情報用テーブルを参照し、上記副再生情報用テーブルの再生区間内に上記ランダムアクセスされた位置のプレゼンテーションタイムスタンプを含む副再生情報を検索し、当該副再生情報を該アクセスポイントにおけるビデオ情報と共に再生するよう上記再生手段を制御することを特徴とする情報処理装置。
【請求項１８】  上記副再生情報用テーブルは、副再生情報の再生開始時刻を示すプレゼンテーションタイムスタンプと上記ストリームデータ中のアドレスとの対応関係が記述された副再生情報アドレス検索テーブルを有することを特徴とする請求項１７記載の情報処理装置。
【請求項１９】  上記副再生情報用テーブルは、上記副再生情報の再生開始時刻を示すプレゼンテーションタイムスタンプと上記副再生情報の持続時間又は再生終了時刻を示すプレゼンテーションタイムスタンプとの対応関係が記述された副再生情報再生テーブルを有することを特徴とする請求項１７記載の情報処理装置。
【請求項２０】  上記ビデオ用テーブルは、上記ストリームデータ中の各フレーム内符号化画像のプレゼンテーションタイムスタンプ、並びに各フレーム内符号化画像が開始及び終了するアドレスを示す情報を有し、
上記制御手段は、上記検索された副再生情報と共に、上記ランダムアクセスされた位置のプレゼンテーションタイムスタンプに最も近い過去のフレーム内符号化画像を再生するよう制御することを特徴とする請求項１７記載の情報処理装置。
【請求項２１】  少なくともビデオ情報と該ビデオ情報の再生に同期して再生される副再生情報とを有するストリームデータから、上記ビデオ情報及び上記副再生情報に関する付属情報を作成する付属情報作成工程と、
上記ストリームデータを上記付属情報作成工程にて作成された付属情報と共に記録媒体に記録する記録工程と、
上記記録媒体から、ランダムアクセスされた位置のプレゼンテーションタイムスタンプのビデオ情報及び副再生情報を再生する再生工程と、
上記付属情報を参照して上記再生を制御する制御工程とを備え、
上記付属情報作成工程では、上記ビデオ情報のアクセスポイントにおける再生開始時刻を示すプレゼンテーションタイムスタンプと上記ストリームデータ中のアドレスとの対応関係が記述されたビデオ用テーブルと、該アクセスポイントにおけるビデオ情報と同期して再生される上記副再生情報のアドレス及び該副再生情報の各再生区間が記述された副再生情報用テーブルとが作成され、
上記制御工程では、上記ビデオ用テーブル及び副再生情報用テーブルを参照し、上記副再生情報用テーブルの再生区間内に上記ランダムアクセスされた位置のプレゼンテーションタイムスタンプを含む副再生情報を検索し、当該副再生情報を該アクセスポイントにおけるビデオ情報と共に再生するよう上記再生が制御されることを特徴とする情報処理方法。
【請求項２２】  上記副再生情報用テーブルは、副再生情報の再生開始時刻を示すプレゼンテーションタイムスタンプと上記ストリームデータ中のアドレスとの対応関係が記述された副再生情報アドレス検索テーブルを有することを特徴とする請求項２１記載の情報処理方法。
【請求項２３】  上記副再生情報用テーブルは、上記副再生情報の再生開始時刻を示すプレゼンテーションタイムスタンプと上記副再生情報の持続時間又は再生終了時刻を示すプレゼンテーションタイムスタンプとの対応関係が記述された副再生情報再生テーブルを有することを特徴とする請求項２１記載の情報処理方法。
【請求項２４】  所定の動作をコンピュータに実行させるためのプログラムであって、
少なくともビデオ情報と該ビデオ情報の再生に同期して再生される副再生情報とを有するストリームデータから、上記ビデオ情報及び上記副再生情報に関する付属情報を作成する付属情報作成工程と、
上記ストリームデータを上記付属情報作成工程にて作成された付属情報と共に記録媒体に記録する記録工程と、
上記記録媒体から、ランダムアクセスされた位置のプレゼンテーションタイムスタンプのビデオ情報及び副再生情報を再生する再生工程と、
上記付属情報を参照して上記再生を制御する制御工程とを備え、
上記付属情報作成工程では、上記ビデオ情報のアクセスポイントにおける再生開始時刻を示すプレゼンテーションタイムスタンプと上記ストリームデータ中のアドレスとの対応関係が記述されたビデオ用テーブルと、該アクセスポイントにおけるビデオ情報と同期して再生される上記副再生情報のアドレス及び該副再生情報の各再生区間が記述された副再生情報用テーブルとが作成され、
上記制御工程では、上記ビデオ用テーブル及び副再生情報用テーブルを参照し、上記副再生情報用テーブルの再生区間内に上記ランダムアクセスされた位置のプレゼンテーションタイムスタンプを含む副再生情報を検索し、当該副再生情報を該アクセスポイントにおけるビデオ情報と共に再生するよう上記再生が制御されることを特徴とするプログラム。
【請求項２５】  少なくともビデオ情報と該ビデオ情報の再生に同期して再生される副再生情報とを有するストリームデータと共に、該ビデオ情報のアクセスポイントにおける再生開始時刻を示すプレゼンテーションタイムスタンプと上記ストリームデータ中のアドレスとの対応関係が記述されたビデオ用テーブルと、該アクセスポイントにおけるビデオ情報と同期して再生される上記副再生情報のアドレス及び該副再生情報の各再生区間が記述された副再生情報用テーブルとが記録されていることを特徴とする記録媒体。
【請求項２６】  少なくともビデオ情報と該ビデオ情報の再生に同期して再生される副再生情報とを有するストリームデータがパケット化され記録されると共に、パケット化された上記ビデオ情報のアクセスポイントにおける再生開始時刻を示すプレゼンテーションタイムスタンプと上記パケット化されたストリームデータにおける位置情報との対応関係が記述されたビデオ用テーブルと、パケット化された上記副再生情報のアクセスポイントにおける再生開始時刻を示すプレゼンテーションタイムスタンプと上記パケット化されたストリームデータにおける位置情報との対応関係が記述された副再生情報用テーブルとが記録されていることを特徴とする記録媒体。
【請求項２７】  少なくともビデオ情報を有するストリームデータがパケット化されており、パケット化された上記ビデオ情報のアクセスポイントにおける再生開始時刻を示すプレゼンテーションタイムスタンプと上記パケット化されたストリームデータにおける位置情報との対応関係が記述されたビデオ用テーブルとからなるデータにおけるビデオ情報と同時に再生される副再生情報を含むパケット化されたストリームデータと
パケット化された上記副再生情報のアクセスポイントにおける再生開始時刻を示すプレゼンテーションタイムスタンプと上記パケット化されたストリームデータにおける位置情報との対応関係が記述された副再生情報用テーブルとからなるデータ構造。
【手続補正２】
【補正対象書類名】明細書
【補正対象項目名】００２４
【補正方法】変更
【補正の内容】
【００２４】
マルチプレクサ（多重化器）４は、入力されたビデオストリーム、オーディオストリーム及びサブピクチャから、入力システム情報に基づいて多重化した多重化ストリームを生成する。即ち、上述のMPEG2ビデオストリームとサブピクチャは、例えばMPEG2トランスポートストリームやMPEG2プログラムストリームに多重化される。